Podtech/llm-jp-corpus-v4-ja_patent huggingface dataset:
(57)【要約】  本発明は、ＰＵＣＣＨ電力制御方法及び装置を開示し、通信技術に関する。ユーザー設備（ＵＥ）が、異なるキャリア組に対応する異なるアップリンクキャリアじょうでのＰＵＣＣＨ伝送をサポートする場合、現在アップリンクサブフレームにおいて、物理アップリンク制御チャンネル（ＰＵＣＣＨ）伝送が位置するアップリンクキャリアをことを確認し、各ＰＵＣＣＨ伝送が位置するアップリンクキャリアに対し、現在アップリンクサブフレームの前記アップリンクキャリア上のＰＵＣＣＨでＵＣＩを伝送する少なくとも１つのキャリア組の少なくとも１つのダウンリンクキャリア上で受信した伝送電力制御（ＴＰＣ）命令に基づいて、現在アップリンクサブフレームの前記アップリンクキャリア上で伝送するＰＵＣＣＨに対応する電力調整累積量を確定し、各ＰＵＣＣＨ伝送が位置するアップリンクキャリアに対し、前記アップリンクキャリアに対応するＰＵＣＣＨ電力制御パラメータ及び前記電力調整累積量に基づいて、現在アップリンクサブフレームの前記アップリンクキャリア上で伝送するＰＵＣＣＨの伝送電力を確定する。こうすることにより、ＰＵＣＣＨ電力を制御することができる。【選択図】図５
2016508342.tif 000002
【特許請求の範囲】
【請求項１】
2016508342.tif 000039
【請求項２】
2016508342.tif 000040
【請求項３】
2016508342.tif 000041
【請求項４】
2016508342.tif 000042
2016508342.tif 000043
【請求項５】
2016508342.tif 000044
【請求項６】
2016508342.tif 000045
【請求項７】
2016508342.tif 000046
【請求項８】
2016508342.tif 000047
【請求項９】
2016508342.tif 000048
【請求項１０】
2016508342.tif 000049
【請求項１１】
2016508342.tif 000050
【請求項１２】
2016508342.tif 000051
【請求項１３】
2016508342.tif 000052
【請求項１４】
2016508342.tif 000053
2016508342.tif 000054
【請求項１５】
2016508342.tif 000055
【請求項１６】
2016508342.tif 000056
【請求項１７】
2016508342.tif 000057
【請求項１８】
2016508342.tif 000058
【請求項１９】
2016508342.tif 000059
【請求項２０】
2016508342.tif 000060
【発明の詳細な説明】
【技術分野】
【０００１】
本発明は通信技術に関し、特にＰＵＣＣＨ電力制御方法及び装置に関する。
【背景技術】
【０００２】
2016508342.tif 000003
【０００３】
2016508342.tif 000004
【０００４】
2016508342.tif 000005
【０００５】
2016508342.tif 000006
【０００６】
2016508342.tif 000007
【０００７】
2016508342.tif 000008
【図面の簡単な説明】
【０００８】
【図１】図１は従来技術のＬＴＥセルキャリア分布図である。
【図２】図２は従来技術のＬＴＥ-Ａキャリアアグリゲーションを示す図である。
【図３ａ】図３ａは従来技術のデュープレックス仕様を示す図（１）である。
【図３ｂ】図３ｂは従来技術のデュープレックス仕様を示す図（２）である。
【図３ｃ】図３ｃは従来技術のデュープレックス仕様を示す図（３である。
【図４】図４は従来技術のキャリア組に基づくＰＵＣＣＨ送信仕様を示す図である。
【図５】図５は本発明に係る実施例のＰＵＣＣＨ電力制御方法のフローチャートである。
【図６】図６は本発明に係る実施例のＰＵＣＣＨ電力制御方法の応用シナリオを示す図である。
【図７】図７は本発明に係る実施例のＰＵＣＣＨ電力制御装置の構造図である。
【図８】図8は本発明に係る実施例の他のＰＵＣＣＨ電力制御装置の構造図である。
【発明を実施するための形態】
【０００９】
2016508342.tif 000009
【００１０】
2016508342.tif 000010
【００１１】
2016508342.tif 000011
【００１２】
2016508342.tif 000012
【００１３】
2016508342.tif 000013
【００１４】
2016508342.tif 000014
【００１５】
2016508342.tif 000015
【００１６】
2016508342.tif 000016
【００１７】
2016508342.tif 000017
【００１８】
2016508342.tif 000018
【００１９】
2016508342.tif 000019
【００２０】
2016508342.tif 000020
【００２１】
2016508342.tif 000021
【００２２】
2016508342.tif 000022
【００２３】
2016508342.tif 000023
【００２４】
2016508342.tif 000024
【００２５】
2016508342.tif 000025
【００２６】
2016508342.tif 000026
【００２７】
2016508342.tif 000027
【００２８】
2016508342.tif 000028
【００２９】
2016508342.tif 000029
【００３０】
2016508342.tif 000030
【００３１】
2016508342.tif 000031
【００３２】
2016508342.tif 000032
【００３３】
2016508342.tif 000033
【００３４】
2016508342.tif 000034
【００３５】
2016508342.tif 000035
【００３６】
2016508342.tif 000036
【００３７】
2016508342.tif 000037
【００３８】
2016508342.tif 000038
【図１】
2016508342.tif 000061
【図２】
2016508342.tif 000062
【図３ａ】
2016508342.tif 000063
【図３ｂ】
2016508342.tif 000064
【図３ｃ】
2016508342.tif 000065
【図４】
2016508342.tif 000066
【図５】
2016508342.tif 000067
【図６】
2016508342.tif 000068
【図７】
2016508342.tif 000069
【図８】
2016508342.tif 000070
【国際調査報告】
2016508342.tif 000071
2016508342.tif 000072
2016508342.tif 000073
2016508342.tif 000074